(57)【特許請求の範囲】
【請求項１】
前後ケース（２）・（３）を突き合わせてなる本体ケース（１）に、
収納姿勢と後方突出姿勢に切り換え自在な充電用プラグ（３４）と、
充電用プラグ（３４）と充電用の回路基板（１４ａ）を電気的に接続する端子支持板（４９）とを備えており、
前記前ケース（２）は、
交流・充電兼用の給電ソケット（１６）が装着できる半切欠部（１７）と、
交流・充電兼用の回路基板（１４）を位置決め固定できる一対の位置決め板（２３）と、
交流・充電兼用の後ケース（３）のねじボス（３１）内に先端を嵌め込むことができ、該ねじボス（３１）に挿通したねじ（３３）をねじ込むことができる一対のねじボス（２４）とを有し、
前記後ケース（３）は、
前記半切欠部（１７）に嵌まり込んで該半切欠部（１７）を塞ぐ閉塞壁片（３７）と、
前ケース（２）のねじボス（２４）と突き合わされて、該ねじボス（２４）にねじ（３３）をねじ込むために、該ねじ（３３）が挿通される一対のねじボス（４６）とを有し、
前記端子支持板（４９）は、一対のリング（５２）を有し、該リング（５２）を前ケース（２）のねじボス（２４）の先端に嵌め込むとともに前記位置決め板（２３）に固定されており、
後ケース（３）のねじボス（４６）の先端の内径が、交流・充電兼用の後ケース（３）のねじボス（３１）の先端の内径よりも大きく設定されていて、後ケース（３）のねじボス（４６）の先端が前記リング（５２）を介して前ケース（２）のねじボス（２４）に嵌り込むように設定してあることを特徴とする充電式電気機器。
【請求項２】
前記後ケース（３）が上ケース（３Ａ）と下ケース（３Ｂ）からなり、
該下ケース（３Ｂ）に、前記閉塞壁片（３７）および前記ねじボス（４６）が設けてあることを特徴とする請求項１記載の充電式電気機器。
【発明の詳細な説明】
【０００１】
【発明の属する技術分野】
本発明は、充電機能を備えた電気かみそりや電気バリカンなどの電気機器に係り、より詳しくはこの種充電式電気機器の本体ケース構造に関する。
【０００２】
【従来の技術】
充電機能を備えた電気かみそりや電気バリカンなどの充電式電気機器において、給電方式として交流式・充電式両用のものと、充電式専用のものとがある。交流式・充電式両用の電気機器として、たとえば、特開平６−３０４３４６号公報に開示されるように本体ケースの底部に充電・交流両用タイプの給電ソケットを備えたものがある。充電式専用の電気機器は、たとえば、実開昭４９−１１０７３９号公報に開示されるように本体ケースの底部に充電用プラグを収納姿勢と突出姿勢とに切り換え可能に揺動自在に備えたものがある。
【０００３】
【発明が解決しようとする課題】
しかし、充電・交流両用タイプの給電ソケットと充電用プラグとは、その一方が本体ケースに対して固定式で、他方は本体ケースに対して出没する可動式であって、両者が装着形態を相違し、また両者の形状や大きさも相違するため、本体ケースはそれぞれの機種に対応するよう個別に成形されていたが、これではコスト面や在庫管理面において不利であった。
【０００４】
本発明の目的は、このような問題に鑑みてなされたもので、交流式・充電式両用の電気機器と充電式専用の電気機器の本体ケースの一部の共用化を図り、コストの低減を図ることのできる充電式電気機器を提供するにある。
【０００５】
【課題を解決するための手段】
本発明の請求項１に係る発明は、図示例のように前後ケース２・３を突き合わせてなる本体ケース１を備えており、前記前ケース２がこれの底に交流・充電兼用の給電ソケット１６装着用の半切欠部１７を形成しており、前記後ケース３は、前記半切欠部１７との間で交流・充電兼用給電ソケット１６を挟み込む半切欠部２７を底に有する交流・充電兼用後ケースと、充電プラグ３６を収納姿勢と後方突出姿勢に切り換え自在に備え、かつ前記前ケース２の半切欠部１７に嵌まり込んで該半切欠部１７を塞ぐ閉塞壁片３７を有する充電用後ケースの二種類を用意しており、そのいずれか一方を前ケース２に突き合わせて一体的に結合してあることを特徴とする。
【０００６】
本発明の請求項２に係る発明は、図１に例示するように前後ケース２・３を突き合わせてなる本体ケース１を備えており、前記前ケース２がこれの底に交流・充電兼用の給電ソケット１６装着用の半切欠部１７を形成しており、前記後ケース３が上ケース３Ａと下ケース３Ｂからなり、下ケース３Ｂは、前記半切欠部１７との間で前記給電ソケット１６を挟み込む半切欠部２７を底に有する交流・充電兼用下ケース３Ｂ1 と、充電プラグ３４を収納姿勢と後方突出姿勢に切り換え自在に備え、かつ前記前ケース２の半切欠部１７に嵌まり込んで該半切欠部１７を塞ぐ閉塞壁片３７を有する充電用下ケース３Ｂ2 の二種類を用意しており、そのいずれか一方を前ケース２および上ケース３Ａに突き合わせて一体的に結合してあることを特徴とする。
【０００７】
【作用】
請求項１に係る発明によれば、交流式・充電式両用の電気機器と充電式専用の電気機器を得るに際し、本体ケース１のうち交流・充電兼用後ケースと充電用後ケースを取り替えるのみで、前ケース２を共用できる。その際、充電用後ケースを使用する場合、この充電用後ケースの閉塞壁片３７を前ケース２の半切欠部１７に嵌め込むことで、前ケース２に対する充電用後ケースの位置合わせが確実に行えるとともに、半切欠部１７を塞ぐことができて外観体裁を損なうことなく、また塵埃侵入を防止できる。
【０００８】
請求項２に係る発明によれば、交流式・充電式両用の電気機器と充電式専用の電気機器を得るに際し、本体ケース１のうち後ケース３の交流・充電兼用下ケース３Ｂ1 と充電用下ケース３Ｂ2 を取り替えるのみで、前ケース２および後ケース３の上ケース３Ａを共用できる。その際、充電用下ケース３Ｂ2 を使用する場合、この充電用下ケース３Ｂ2 の閉塞壁片３７を前ケース２の半切欠部１７に嵌め込むことで、前ケース２および上ケース３Ａに対する充電用下ケース３Ｂ2 の位置合わせが確実に行えるとともに、半切欠部１７を塞ぐことができて外観体裁を損なうことなく、また塵埃侵入を防止できる。
【０００９】
【発明の実施の形態】
（第１実施例）
本発明を往復動式電気かみそりに適用した場合の実施例を説明する。図１ないし図３において、１は本体ケースで、プラスチック製の前ケース２と後ケース３からなり、後ケース３は更に上下に二分割されて上ケース３Ａと下ケース３Ｂからなる。本体ケース１の上部には往復動式の内刃４と網目状の外刃５からなる剃刃ユニット６を備える。外刃５は本体ケース１の上部に着脱自在に装着される外刃ホルダ７に保持される。図３および図４に示すように、外刃ホルダ７の後面側には多数のくし歯９ａを列設したコーム９が、くし歯９ａの先端が外刃５の長孔５ａ・５ａ間に臨むようにばね部材１０を介して重合装着されている。くし歯９ａの後端はコーム９の外面から前記先端と略同じ高さにまで隆起する状態に形成することにより、このコーム９をばね部材１０の力に抗して肌に押し付けたときくし歯９ａの後端で長毛やくせ毛を捕らえ易くしている。図１に示すように、本体ケース１の内部にはモータ１１、モータ１１の回転を前記内刃４の往復動に変換して伝達する振動子１２、充電池１３およびトランスや抵抗などを搭載する交流式・充電式両用の回路基板１４または充電用の回路基板１４ａを収納する。
【００１０】
前ケース２は交流式・充電式両用電気かみそりと充電式専用電気かみそりとに共用するもので、その前面にスライド式の電源スイッチ１５を備え、かつ図１および図７のようにその底壁に、交流・充電兼用の給電ソケット１６を装着するための角形の半切欠部１７を設ける。
図１および図８において、給電ソケット１６は、断面楕円形状の底開放状の筒１９の内部に一対のピン２０を植設し、該筒１９の外周下部にフランジ２１を有し、予め交流式・充電式両用の回路基板１４上のパターンに結線してその下部に固定される（但し、図１では説明の便宜上、給電ソケット１６を回路基板１４の下部から分離した状態で示す。）。前記半切欠部１７の内周には給電ソケット１６のフランジ２１が差し込まれる溝２２を設けている。また前ケース２の内面下部には一対の位置決め板２３を突設し、この位置決め板２３に回路基板１４の下部の切込部１４１を嵌め込むことにより前ケース２の内面に対し回路基板１４が位置決め固定される。位置決め板２３の突出端中央には突部２３ａを設けている。前ケース２の内面下部には一対のねじボス２４を突設している。
【００１１】
後ケース３の上ケース３Ａはこれ又、交流式・充電式両用電気かみそりと充電式専用電気かみそりとに共用するもので、図１および図３のように前記振動子１２の後面に突設した係合突起１２ａから動力を取るきわ剃刃ユニット２５と、該きわ剃刃ユニット２５を収納姿勢（図３の実線状態）と後方突出姿勢（図３の二点鎖線状態）とに切り換え操作するスライド式の操作ボタン２６とを上下に配備している。
【００１２】
後ケース３の下ケース３Ｂとしては、図１のように交流・充電兼用下ケース３Ｂ1 と充電用下ケース３Ｂ2 の二種類を用意する。そのうち、交流・充電兼用下ケース３Ｂ1 は、図７および図９に示すように、その底壁に半楕円形の半切欠部２７を設け、この半切欠部２７に前記交流・充電兼用の給電ソケット１６のフランジ２１が差し込まれる溝２９を設けている。その半切欠部２７の左右両側からは突片３０を前方へ突設する。この突片３０は、図７のように前記前ケース２の半切欠部１７と給電ソケット１６の筒１９との間に嵌まり込む形に形成している。更にこの下ケース３Ｂ1 の内面には、前記前ケース２の一対のねじボス２４と突き合わされる一対のねじボス３１を突設している。
【００１３】
かくして、交流式・充電式両用の電気かみそりを組み立てる場合は、図１のように、前ケース２に剃刃ユニット６、振動子１２、モータ１１および交流・充電兼用の回路基板１４および交流・充電兼用の給電ソケット１６などを組み込み、上ケース３Ａを前ケース２の後側上部に被せてねじ３２をねじ込んで一体的に結合したのち、図５および図６のように交流・充電兼用下ケース３Ｂ1 を、前ケース２の後側でかつ上ケース３Ａの下方の開口部に被せる。その際、図５ないし図７のように、交流・充電兼用下ケース３Ｂ1 の上端を上ケース３Ａの下端に重合させて該上ケース３Ａと面一にし、かつその左右端を前ケース２の下部の左右端に突き合わせるとともに、突片３０を給電ソケット１６と半切欠部１７の内縁との間に嵌め込む。これにより交流・充電兼用下ケース３Ｂ1 の半切欠部２７の溝２９が給電ソケット１６のフランジ２１の後半分に差し込まれるとともに、ねじボス３１がねじボス２４に突き合わされる。最後に、交流・充電兼用下ケース３Ｂ1 の後方からねじ３３をねじボス３１の穴に挿通し、ねじボス２４の下穴にねじ込むことにより交流・充電兼用下ケース３Ｂ1 が前ケース２と一体的に結合される。
【００１４】
一方、充電用下ケース３Ｂ2 は、図１および図１３に示すように、充電用プラグ３４が装着される開口３５を内外貫通状に形成するとともに、その開口３５より下側の外面にプラグ刃溝３６を形成し、その底壁から閉塞壁片３７を前方へ突設する。その閉塞壁片３７は前ケース２の角形の半切欠部１７に合致する角形に形成されるとともに、この閉塞壁片３７の周縁に前記前ケース２の半切欠部１７の溝２２に嵌合する突縁３７ａを設ける。充電プラグ３４は、図１３に示すように、プラスチック製の絶縁基台３９に一対のプラグ刃４０の基部側をインサート成形し、絶縁基台３９の後面中央には摘み４１を設け、絶縁基台３９の左右両端に回動軸４２を突設するとともに、この回動軸４２の先端に小判形の係合子４３を一体に形成している。なお、絶縁基台３９の上端には、後述する端子板４７と接触するプラグ刃４０の基部端４０ａが突出している。
【００１５】
充電用下ケース３Ｂ2 の内面には、図１３のように前記開口３５の左右両側に、前ケース２内の位置決め板２３と突き合わされる軸受４４を突設するとともに、該軸受４４の左右上側に節度突起４５を突設している。更に充電用下ケース３Ｂ2 の内面には、前記交流・充電兼用下ケース３Ｂ1 のねじボス３１と同じようにねじボス４６が形成されるが、このねじボス４６の先端の内径は、交流・充電兼用下ケース３Ｂ1 のねじボス３１の先端の内径よりも大きく設定する。充電プラグ３４は充電用下ケース３Ｂ2 の内側からプラグ刃４０を開口３５に通してプラグ刃溝３６に納めるとともに、左右の回動軸４２を軸受４４に嵌め込み支持させることにより絶縁基台３９および摘み４１が開口３５内に露呈するように組み込まれる（図１参照）。
【００１６】
また充電用プラグ３４のほかに、図１および図１４に示すごときプラグ刃４０の基部端４０ａと充電用の回路基板１４ａとを電気的に接続するための一対の端子板４７を装着した端子支持板４９が用意される。この端子支持板４９はこれの左右両端に節度アーム５１を一体に形成するとともに、この節度アーム５１と端子支持板４９との間に前記前ケース２の位置決め板２３に嵌合する切欠５０を形成する。節度アーム５１は上下一対の節度突起５１ａ・５１ｂを有する。更に節度アーム５１には前記前ケース２のねじボス２４の先端に嵌合するリング５２が一体に形成される。そのリング５２に前記充電用下ケース３Ｂ2 のねじボス４６の先端が嵌まり込むようにする。
【００１７】
かくして、充電式電気かみそりを組み立てる場合は、前ケース２に剃刃ユニット６、振動子１２、モータ１１および充電用の回路基板１４ａを組み込むとともに、図１４のように端子支持板４９をも組み込む。充電用の回路基板１４ａは前記交流・充電兼用に対応する搭載部品や回路パターンを備える前記回路基板１４とは基板それ自体の形状は同じであるが、その上に搭載される部品や回路パターンは充電専用に対応するものである。
端子支持板４９は、図１２および図１４のように、左右のリング５２をねじボス２４の先端に嵌め込むとともに、切欠５０を位置決め板２３に嵌め込んで固定する。しかるのち、上ケース３Ａを前ケース２の後側上部に被せてねじ３２をねじ込んで一体的に結合したのち、予め充電プラグ３４を前述した要領で組み込んだ充電用下ケース３Ｂ2 を、前ケース２の後側でかつ上ケース３Ａの下方の開口部に被せる。その際、充電用下ケース３Ｂ2 のねじボス４６の先端内径を上記リング５２の外径が嵌まり込むように寸法設定するとともに、交流・充電兼用下ケース３Ｂ1 側のねじボス３１の先端内径を前ケース２側のねじボス２４の先端外径が嵌まり込む寸法設定をしておけば、誤って交流・充電兼用下ケース３Ｂ1 を被せても、このときは前ケース２のねじボス２４の先端にリング５２が嵌め込まれているため、交流・充電兼用下ケース３Ｂ1 のねじボス３１は嵌まり込まず、このことに気付くというものである。
【００１８】
正規の充電用下ケース３Ｂ2 はこれの上端を上ケース３Ａの下端に重合させて該上ケース３Ａと面一にし、かつその左右端を前ケース２の下部の左右端に突き合わせるとともに、閉塞壁片３７を前ケース２の半切欠部１７に嵌め込むことで被せることができる。これにより図１１のように前ケース２の半切欠部１７が閉塞壁片３７で閉塞され、図１２のようにねじボス４６の先端がねじボス２４にリング５２を介して突き合わされ、また充電プラグ３４の回動軸４２が軸受４４と位置決め板２３の突部２３ａとの間に支持されるとともに、係合子４３が節度突起４５に係合する。係合子４３が節度突起４５に係合することにより充電プラグ３４が不用意に回動してプラグ刃４０がプラグ刃溝３６から後方へ突出することのない収納状態が得られる。最後に、充電用下ケース３Ｂ2 の後方からねじ３３をねじボス４６の穴に挿通し、ねじボス２４の下穴にねじ込むことにより充電用下ケース３Ｂ2 が前ケース２と一体的に結合される。
【００１９】
このように組み立てられた充電式電気かみそりを充電するに際しては、摘み４１を押し込むと、図１５の二点鎖線で示すごとく充電プラグ３４が回動軸４２まわりにほぼ９０°回動し、係合子４３が節度アーム５１の節度突起５１ａ・５１ｂ間に係合することによりプラグ刃４０が後方へ突出するとともに絶縁基台３９に突出するプラグ刃４０の基部端４０ａが端子板４７に接触する使用状態に保持される。充電後は絶縁基台３９またはプラグ刃４０を下方へ押すと、充電プラグ３４は回動軸４２まわりに前記と反対方向に回動し、図１０のようにプラグ刃４０をプラグ刃溝３６内に収納する状態が得られる。
【００２０】
（第２実施例）
第１実施例では後ケース３を上下に二分割する構成を採用したが、これに代えて上記上ケース３Ａと交流・充電兼用下ケース３Ｂ1 とを一体に形成した交流・充電兼用後ケース（図示省略）と、上記上ケース３Ａと充電兼用下ケース３Ｂ2 とを一体に形成した充電用後ケース（図示省略）の二種類を用意するものであってもよい。これによれば、前ケース２のみを共用することができる。
なお、上記実施例では往復動式電気かみそりについて説明したが、その他の充電式電気機器、例えばロータリ式電気かみそりや電気バリカンなどの充電機能を備えた充電式電気機器にも同様に適用できる。
【００２１】
【発明の効果】
本発明によれば、前後ケース２・３からなる本体ケース１のうち後ケース３全体または後ケース３の下ケース３Ｂ1 ・３Ｂ2 を取り替えるだけで、交流式・充電式両用と充電式専用の二種類の電気機器を得ることができる。半切欠部１７を有する前ケース２を共用して充電式専用の電気機器を得る場合もその半切欠部１７を塞いで外観上体裁良く納めることができる。
【図面の簡単な説明】
【図１】全体の分解斜視図である。
【図２】全体正面図である。
【図３】全体側面図である。
【図４】外刃ホルダとコームを分離状態で示す斜視図である。
【図５】交流・充電兼用の給電ソケット部分の縦断側面図である。
【図６】交流・充電兼用下ケースの正面図である。
【図７】交流式・充電式両用の電気かみそりの底面図である。
【図８】交流・充電兼用の給電ソケット部分の縦断背面図である。
【図９】交流・充電兼用下ケースの斜視図である。
【図１０】充電用下ケースの正面図である。
【図１１】充電式電気かみそりの底面図である。
【図１２】充電プラグ部分の縦断側面図である。
【図１３】充電用下ケースと充電プラグを分離状態で示す斜視図である。
【図１４】端子支持板の組み付け状態を示す斜視図である。
【図１５】充電プラグの動作図である。
【符号の説明】
１  本体ケース
２  前ケース
３  後ケース
３Ａ  上ケース
３Ｂ  下ケース
３Ｂ1   交流・充電両用下ケース
３Ｂ2   充電用下ケース
６  剃刃ユニット
１６  交流・充電兼用給電ソケット
１７  前ケースの半切欠部
２７  交流・充電両用下ケースの半切欠部
３４  充電プラグ
３７  閉塞壁片
【図１】
0003723259.tif 000002
【図２】
0003723259.tif 000003
【図３】
0003723259.tif 000004
【図４】
0003723259.tif 000005
【図５】
0003723259.tif 000006
【図６】
0003723259.tif 000007
【図７】
0003723259.tif 000008
【図８】
0003723259.tif 000009
【図９】
0003723259.tif 000010
【図１０】
0003723259.tif 000011
【図１１】
0003723259.tif 000012
【図１２】
0003723259.tif 000013
【図１３】
0003723259.tif 000014
【図１４】
0003723259.tif 000015
【図１５】
0003723259.tif 000016